(57)【要約】【課題】  育苗箱の先端のポット内の培土の鎮圧時に、該育苗箱から培土が飛び出すという不具合の発生を防止する。【解決手段】  本発明の鎮圧装置４は、多数配列されたポット５１内に培土が充填されるとともに、搬送路に沿って一方向に搬送される育苗箱５０に対し、該搬送路の下側に配置された送りローラ１１で育苗箱５０の底面を支持するとともに、該搬送路の上側かつ該送りローラ１１の直上に配置された鎮圧ローラ１２で該育苗箱５０に充填されている培土を鎮圧するように構成されている。送りローラ１１は、鎮圧ローラ１２と逆方向に回転駆動される送りローラ軸２１に対して回転自在に支持されるとともに、送りローラ軸２１との間にラチェット機構２２が介装されている。ラチェット機構２２は、送りローラ軸２１の回転駆動方向に対して、送りローラ１１を逆転させないように構成されている。【選択図】      図２
2019083752.tif 000002
【特許請求の範囲】
【請求項１】
多数のポットが配列された育苗箱を搬送路に沿って一方向に搬送しながら、該搬送路の下側に配置された送りローラで前記育苗箱の底面を支持するとともに、該搬送路の上側かつ該送りローラの直上に配置された鎮圧ローラで該育苗箱に充填されている培土を鎮圧するように構成された育苗箱の鎮圧装置であって、
前記送りローラは、前記鎮圧ローラと逆方向に回転駆動される送りローラ軸に対して回転自在に支持されるとともに、前記送りローラ軸との間にラチェット機構が介装されており、
前記ラチェット機構は、前記送りローラ軸の回転駆動方向に対して、前記送りローラを逆転させないように構成されている育苗箱の鎮圧装置。
【請求項２】
前記送りローラには、前記送りローラ軸の回転駆動方向への該送りローラの回転に抵抗を加える抵抗手段が設けられている請求項１記載の育苗箱の鎮圧装置。
【発明の詳細な説明】
【技術分野】
【０００１】
本発明は、育苗箱に充填された培土を鎮圧する、育苗箱の鎮圧装置に関するものである。
【背景技術】
【０００２】
従来の育苗箱の鎮圧装置としては、特許文献１に記載された播種機が備えるものを例示する。この播種機１００は、図５に示すように、一方向に搬送される育苗箱５０（プラスチックポットトレー）に、土入れ、マス切り、土押え、播種、覆土、マス切り、土押えの作業工程で種子Ｓを播種するように構成されている。この播種機１００における各土押えは、鎮圧装置１０１Ａ，１０１Ｂにより行われる。鎮圧装置１０１Ａ，１０１Ｂは、土押えロール１０２及びガイドローラ１０３が搬送経路の上下に配置されている。そして、土押えロール１０２で育苗箱５０のポット５１内の培土Ｃを鎮圧するようになっている。このとき、土押えロール１０２の直下に設けられた円筒状のガイドローラ１０３で育苗箱５０の底面を支持した状態にすることにより、培土Ｃを安定的に鎮圧するようにしている。
【先行技術文献】
【特許文献】
【０００３】
【特許文献１】特開平９−２９６１７０号公報
【発明の概要】
【発明が解決しようとする課題】
【０００４】
ところが、播種の前に鎮圧するための鎮圧装置１０１Ａは、ポット５１内に種子Ｓを入れる深い窪みを形成する必要があるため、該ポット５１内の培土Ｃを強く鎮圧する必要がある。そのため、図６に示すように、この鎮圧装置１０１Ａでは、育苗箱５０の先端が進入してきて（同図（ａ）〜（ｂ））、該先端のポット５１の底面がガイドローラ１０３に乗り上げる瞬間に、土入れ済みの先端のポットが土押えロール１０２で押さえられることにより、育苗箱５０の先端部が下方に湾曲し、ガイドローラ１０３が一瞬逆転する（同図（ｃ））。その直後に育苗箱５０の前記一方向への搬送に伴い、ガイドローラ１０３がすぐに正回転に戻る（同図（ｄ）〜（ｅ））。その正回転に戻る瞬間（同図（ｄ））に、育苗箱５０の前記下方への湾曲が一気に戻り、その衝撃でポット５１の中から培土Ｃが飛び出してしまうという課題がある。
【課題を解決するための手段】
【０００５】
前記課題を解決するために、本発明の育苗箱の鎮圧装置は、
多数配列されたポット内に培土が充填されるとともに、搬送路に沿って一方向に搬送される育苗箱に対し、該搬送路の下側に配置された送りローラで該育苗箱の底面を支持するとともに、該搬送路の上側かつ該送りローラの直上に配置された鎮圧ローラで該育苗箱に充填されている培土を鎮圧するように構成された育苗箱の鎮圧装置であって、
前記送りローラは、前記鎮圧ローラと逆方向に回転駆動される送りローラ軸に対して回転自在に支持されるとともに、前記送りローラ軸との間にラチェット機構が介装されており、
前記ラチェット機構は、前記送りローラ軸の回転駆動方向に対して、前記送りローラを逆転させないように構成されている。
【０００６】
この構成によれば、前記ラチェット機構により、前記送りローラを前記逆転させないように構成されているので、前記育苗箱の先端のポット内の培土の鎮圧時に、従来とは異なり、該育苗箱から培土が飛び出すことがない。
【０００７】
前記送りローラには、前記送りローラ軸の回転駆動方向への該送りローラの回転に抵抗を加える抵抗手段が設けられている態様を例示する。
【０００８】
この構成によれば、前記育苗箱の先端が前記鎮圧ローラ及び前記送りローラの間に進入する前に、前記抵抗手段によって前記ラチェット機構における歯車と歯止め爪とを緩みなく確実に噛み合わせることができ、前記送りローラの前記逆転を確実に防止できる。
【発明の効果】
【０００９】
本発明に係る育苗箱の鎮圧装置によれば、育苗箱の先端のポット内の培土の鎮圧時に、該育苗箱から培土が飛び出すという不具合の発生を防止するという優れた効果を奏する。
【図面の簡単な説明】
【００１０】
【図１】本発明を具体化した一実施形態に係る育苗箱の鎮圧装置を含む播種機の概略構成を示す側断面図である。
【図２】同鎮圧装置の拡大側面図である。
【図３】同鎮圧装置における搬送路の下側の構成を示す斜視図である。
【図４】同鎮圧装置の一連の動作例を示す側面図である。
【図５】従来の育苗箱の鎮圧装置を含む播種機の概略構成を示す側断面図である。
【図６】同鎮圧装置の一連の動作例を示す側面図である。
【発明を実施するための形態】
【００１１】
図１〜図４は本発明を具体化した一実施形態の育苗箱の鎮圧装置を含む播種機を示している。この播種機１は、図１に示すように、架台上に育苗箱送り出し装置（図示略）、土入れ装置３、鎮圧装置４、播種装置５、鎮圧装置６、覆土装置７が所定の育苗箱５０の搬送方向に沿って順に設置されており、育苗箱５０を搬送路に沿って一方向に搬送しながら、該育苗箱５０に対し、土入れ、鎮圧、播種、鎮圧（籾押さえ）及び覆土を連続して行うように構成されている。なお、各図において、矢印Ｆは播種機１の育苗箱５０の搬送方向を指し示している。
【００１２】
育苗箱５０は、可撓性の樹脂からなり、略矩形に形成された平面視外周形状内に、該外周形状の長さ方向及び幅方向に沿って、苗室を形成するポット５１が碁盤目状に多数配設されるとともに、長さ方向に延びる側縁部に、該長さ方向におけるポット５１の配列に合わせて苗箱移送用の送り穴（図示略）が列設されている。
【００１３】
鎮圧装置４は、図２及び図３に示すように、該搬送路の下側に配置された送りローラ１１で育苗箱５０の底面を支持するとともに、該搬送路の上側かつ該送りローラ１１の直上に配置された鎮圧ローラ１２で該育苗箱５０に充填されている培土Ｃを鎮圧するように構成されている。
【００１４】
鎮圧ローラ１２は、外周に一定間隔をおいて突起１２ａが列設されている。各突起１２ａによって、各ポット５１内の培土Ｃが鎮圧されるとともに、培土Ｃの表面に種子Ｓを植えるための窪みが形成されるように構成されている。
【００１５】
送りローラ１１は、鎮圧ローラ１２と逆方向に回転駆動される送りローラ軸２１に対して回転自在に支持されるとともに、送りローラ軸２１との間にラチェット機構２２が介装されている。ラチェット機構２２は、送りローラ軸２１の回転駆動方向に対して、送りローラ１１を逆転させないように構成されている。また、送りローラ１１には、送りローラ軸２１の回転駆動方向への該送りローラ１１の回転に抵抗を加える抵抗手段２３が設けられている。
【００１６】
ラチェット機構２２は、送りローラ１１の端部に設けられた歯車３１と、送りローラ軸２１とともに一体回転するように該送りローラ軸２１と平行に設けられたラチェット軸３２と、前記逆転しないように該歯車３１の歯３１ａを係止する位置及び同係止しない位置の間で回動自在にラチェット軸３２に支持された歯止め爪３３と、該歯止め爪３３を前記係止する位置へ付勢する付勢手段３４とを備えている。
【００１７】
抵抗手段２３は、送りローラ軸２１と平行に延びる回動軸３６と、該回動軸３６に回動自在に支持された回動体３７と、該回動体３７の先端部に支持され、送りローラ軸２１と平行に延びる抵抗ローラ軸３８と、該抵抗ローラ軸３８に回転自在に支持された抵抗ローラ３９と、該抵抗ローラ３９の周面を送りローラ１１の周面に対して押し付けるように付勢する付勢手段としてのバネ４０とを備えている。抵抗ローラ３９の周面を送りローラ１１の周面に対して押し付けることにより、送りローラ１１の回転に抵抗を加えるようになっている。
【００１８】
次に、本例の鎮圧装置４の動作例について、図４を参照しながら説明する。まず、本例の鎮圧装置４に、育苗箱５０の先端が進入してきて（図４（ａ）〜（ｂ））、該先端のポット５１の底面が送りローラ１１に乗り上げる瞬間に、土入れ済みの先端のポット５１が鎮圧ローラ１２で押さえられることにより、育苗箱５０の先端部が下方に湾曲しようとするが、従来例とは異なり、送りローラ１１が逆転しないので、該湾曲が防止される（同図（ｃ））。その後も、育苗箱５０の前記一方向への搬送に伴い、送りローラ１１が正回転し続ける（同図（ｄ）〜（ｅ））。
【００１９】
以上のように本例の育苗箱の鎮圧装置４においては、送りローラ１１は、鎮圧ローラ１２と逆方向に回転駆動される送りローラ軸２１に対して回転自在に支持されるとともに、送りローラ軸２１との間にラチェット機構２２が介装されており、ラチェット機構２２は、送りローラ軸２１の回転駆動方向に対して、送りローラ１１を逆転させないように構成されている。この構成によれば、ラチェット機構２２により、送りローラ１１を前記逆転させないように構成されているので、育苗箱５０の先端のポット５１内の培土Ｃの鎮圧時に、従来とは異なり、該育苗箱５０から培土Ｃが飛び出すことがない。
【００２０】
また、送りローラ軸２１の回転駆動方向への送りローラ１１の回転に抵抗を加える抵抗手段２３を備えているので、育苗箱５０の先端が鎮圧ローラ１２及び送りローラ１１の間に進入する前に、抵抗手段２３によってラチェット機構２２における歯車３１の歯３１ａと歯止め爪３３とを緩みなく確実に噛み合わせることができ、送りローラ１１の前記逆転を確実に防止できる。
【００２１】
なお、本発明は前記実施形態に限定されるものではなく、例えば以下のように、発明の趣旨から逸脱しない範囲で適宜変更して具体化することもできる。
（１）前記実施形態とは逆に、ラチェット機構２２の歯車３１を送りローラ軸２１側に設け、同機構の歯止め爪３３を送りローラ１１側に設けること。
（２）抵抗手段２３として、公知の他の抵抗手段を採用すること。例えば、送りローラ１１の表面（周面又は側面）に摩擦抵抗部材を押し付ける手段を採用することが挙げられる。
【符号の説明】
【００２２】
１    播種機
３    土入れ装置
４    鎮圧装置
５    播種装置
６    鎮圧装置
７    覆土装置
１１    送りローラ
１２    鎮圧ローラ
１２ａ  突起
２１    送りローラ軸
２２    ラチェット機構
２３    抵抗手段
３１    歯車
３１ａ  歯
３２    ラチェット軸
３３    歯止め爪
３４    付勢手段
３６    回動軸
３７    回動体
３８    抵抗ローラ軸
３９    抵抗ローラ
４０    バネ
５０    育苗箱
５１    ポット
Ｃ    培土
Ｆ    育苗箱の搬送方向
Ｓ    種子
【図１】
2019083752.tif 000003
【図２】
2019083752.tif 000004
【図３】
2019083752.tif 000005
【図４】
2019083752.tif 000006
【図５】
2019083752.tif 000007
【図６】
2019083752.tif 000008